(57)【要約】計測システムは、計測対象の状態を検出する計測装置１０の検出結果を、ネットワークＮＷを介して取得する。計測装置１０は、近距離無線通信が可能なＮＦＣ４０を備える。計測装置１０は、ＮＦＣ４０と通信可能な携帯端末６０やメンテナンスカード７０から近距離無線通信により送信された情報に基づいて、計測装置１０の情報を更新する。
2017135210.tif 000002
【特許請求の範囲】
【請求項１】
計測対象の状態を検出する計測装置の検出結果を、ネットワークを介して取得する計測システムにおいて、
前記計測装置は、近距離無線通信が可能な近距離無線通信部を備え、前記近距離無線通信部と通信可能な更新情報機器から前記近距離無線通信により送信された情報に基づいて、前記計測装置の情報を更新する
計測システム。
【請求項２】
前記計測装置と前記更新情報機器とは、近距離無線通信を介して端末認証を行い、
前記計測装置は、前記端末認証が成立したことを条件に、前記計測装置の情報を更新する
請求項１に記載の計測システム。
【請求項３】
前記計測装置と前記ネットワークを介して接続され、前記検出結果を蓄積するサーバを備え、
前記計測装置は、前記端末認証が成立した場合に、前記計測装置と前記サーバとのインターネット認証を行うように構成され、更に前記インターネット認証が成立した場合に、前記計測装置の情報を更新するように構成されている
請求項２に記載の計測システム。
【請求項４】
前記計測装置には、前記ネットワークと接続されるゲートウェイが備えられ、
前記ゲートウェイに前記近距離無線通信部が備えられている
請求項１〜３のいずれか一項に記載の計測システム。
【請求項５】
前記更新情報機器には、キャリブレーションを行うためのキャリブレーション値が保存され、
前記計測装置は、前記キャリブレーション値によって校正される
請求項２〜４のいずれか一項に記載の計測システム。
【発明の詳細な説明】
【技術分野】
【０００１】
本発明は、計測システムに関する。
【背景技術】
【０００２】
従来、計測システムとしては、プラントのプロセスを監視する監視システムがある（例えば、特許文献１参照）。特許文献１に記載の監視システムでは、セキュリティ管理者の登録や変更を容易に行えるように、セキュリティ管理者を限定することでセキュリティを高めている。
【先行技術文献】
【特許文献】
【０００３】
【特許文献１】特開２００９−２５１９４３号公報
【発明の概要】
【発明が解決しようとする課題】
【０００４】
ところで、センサが検出した情報に基づいてネットワークを介して監視する場合には、センサに含まれる機密情報等を定期的に更新する必要がある。しかし、インターネットを介した第三者による不正取得等が想定され、改良の余地がある。更に工場内ＬＡＮ（Ｌｏｃａｌ  Ａｒｅａ  Ｎｅｔｗｏｒｋ）などプライベートなネットワークであっても、通信を解析される可能性があり、同様に第三者による不正取得等が想定されるため、改良の余地がある。【０００５】
本発明は、こうした実情に鑑みてなされたものであり、その目的は、複雑な処理をすることなく高いセキュリティ性を確保して、保存された情報を更新することのできる計測システムを提供することにある。
【課題を解決するための手段】
【０００６】
以下、上記課題を解決するための手段及びその作用効果について説明する。
上記課題を解決する計測システムは、計測対象の状態を検出する計測装置の検出結果を、ネットワークを介して取得する計測システムにおいて、前記計測装置は、近距離無線通信が可能な近距離無線通信部を備え、前記近距離無線通信部と通信可能な更新情報機器から前記近距離無線通信により送信された情報に基づいて、前記計測装置の情報を更新することをその要旨としている。【０００７】
上記構成によれば、計測装置に近距離無線通信部を備えたので、計測装置が近距離無線通信部を介して計測装置の情報を更新することができる。よって、ネットワークを介して計測装置の情報を更新しなくて済むので、複雑な処理をすることなく高いセキュリティ性を確保して、情報を更新することができる。【０００８】
上記計測システムについて、前記計測装置と前記更新情報機器とは、近距離無線通信を介して端末認証を行い、前記計測装置は、前記端末認証が成立したことを条件に、前記計測装置の情報を更新することが好ましい。【０００９】
上記構成によれば、計測装置の更新情報を有する更新情報機器が計測装置と端末認証を行い、端末認証が成立したことを条件として計測装置の情報が更新される。このため、端末認証が成立しなければ情報に接続されないので、悪意ある接続を拒否することができる。【００１０】
上記計測システムについて、前記計測装置と前記ネットワークを介して接続され、前記検出結果を蓄積するサーバを備え、前記計測装置は、前記端末認証が成立した場合に、前記計測装置と前記サーバとのインターネット認証を行うように構成され、更に前記インターネット認証が成立した場合に、前記計測装置の情報を更新するように構成されていることが好ましい。【００１１】
上記構成によれば、計測装置と更新情報機器との端末認証に加えて、計測装置とサーバとのインターネット認証が成立すると計測装置の情報が更新される。このため、端末認証とインターネット認証とが成立しなければ情報に接続されないので、悪意ある接続を更に拒否することができる。【００１２】
上記計測システムについて、前記計測装置には、前記ネットワークと接続されるゲートウェイが備えられ、前記ゲートウェイに前記近距離無線通信部が備えられていることが好ましい。【００１３】
上記構成によれば、計測装置にゲートウェイを備えるので、計測装置はゲートウェイを介してネットワークに接続することができるので、計測装置を簡易な構成とすることができる。【００１４】
上記計測システムについて、前記更新情報機器には、キャリブレーションを行うためのキャリブレーション値が保存され、前記計測装置は、前記キャリブレーション値によって調整されることが好ましい。【００１５】
上記構成によれば、更新情報機器に保存されるキャリブレーション値によって計測装置が校正されるので、キャリブレーション値を有した更新情報機器を所持するユーザであればキャリブレーションを容易に行うことができる。
【発明の効果】
【００１６】
本発明によれば、セキュリティを維持しつつ、情報を容易に更新することができる。本発明の他の形態及び利点は本発明の技術的思想の例を示している図面と共に以下の記載から明らかとなる。
【図面の簡単な説明】
【００１７】
【図１】計測システムの第１の実施形態のブロック図。
【図２】同実施形態の計測システムにおけるカードを説明するための模式図。
【図３】同実施形態の計測システムの携帯端末の一例を示す図。
【図４】同実施形態の計測システムの動作を示すシーケンスチャート。
【図５】同実施形態の計測システムの動作を示すシーケンスチャート。
【図６】計測システムの第２の実施形態の概略構成を示す図。
【図７】同実施形態の計測システムの動作を示すシーケンスチャート。
【発明を実施するための形態】
【００１８】
以下、図１〜図５を参照して、計測システムの第１の実施形態について説明する。
図１に示すように、計測システムは、計測対象の状態を計測する計測装置１０と、携帯電話網や公衆無線ＬＡＮ等の公衆通信網や工場内ＬＡＮや工場間ＷＡＮ（Ｗｉｄｅ  Ａｒｅａ  Ｎｅｔｗｏｒｋ）等のプライベートな通信網等のネットワークＮＷに接続することで、計測装置１０と接続するデータベースサーバ５０とを備えている。データベースサーバ５０は、データベース５１を備えている。データベースサーバ５０には、複数の計測装置１０がネットワークＮＷを介して接続される。
【００１９】
計測装置１０は、計測対象の状態を検出する検出部としてのセンサ１１と、センサ１１を制御する制御部１２と、制御部１２とネットワークＮＷとに接続するゲートウェイ３０とを備えている。センサ１１は、計測対象の状態を検出することで得た信号を制御部１２に出力する。ゲートウェイ３０は、プロトコルの異なるネットワーク同士を接続させる。例えば公衆通信網として携帯電話回線網に接続する無線通信規格を用いてネットワークＮＷに接続する。ゲートウェイ３０は、制御部１２と物理的に着脱可能に設けられているが、分離され、通信線によって接続される形態でも構わない。
【００２０】
制御部１２は、計測対象の状態を計測する計測部２１と、計測結果に基づいて判定する判定部２２とを備えている。計測部２１は、センサ１１から入力された信号を計測値に変換する。判定部２２は、この計測値を判定し、判定した判定結果を含む計測情報を出力する。制御部１２は、記憶部としてのメモリ２５を備えている。制御部１２は、メモリ２５に記憶されたプログラムやパラメータに基づいて演算処理することにより制御を行うことができる。計測部２１は、メモリ２５に記憶された計測対象の状態を計測するための計測プログラムによって計測を行う。判定部２２は、プログラムとしての判定アルゴリズムとパラメータとしての判定基準（例えば閾値）とによって判定を行う。メモリ２５には、判定アルゴリズムと、判定基準とが記憶されている。また、計測部２１は、計測情報として計測値と判定結果とをメモリ２５に記憶させる。
【００２１】
計測装置１０は、パスワード等の情報や、計測対象に合わせて計測装置１０を使用することができるようにプログラムやパラメータ（例えば判定基準）等の情報を更新することができる。すなわち、制御部１２は、情報の更新時に認証を行う認証部２３と、更新情報を取得して、取得した更新情報によって、計測装置１０のメモリ２５に保持されているプログラムやパラメータ等の情報を書き換える書換部２４とを備えている。認証部２３は、ネットワークＮＷを介してデータベースサーバ５０に接続して認証を得る（インターネット認証）。インターネット認証は、ネットワークＮＷ上において計測装置１０が正規の装置であって情報の更新を行ってよいことを認証するために行うものであり、データベースサーバ５０とは別に設けられた認証専用のサーバを用いても良い。なお、認証部２３は、データベースサーバ５０に情報を提供する際にパスワードによる認証を行う。書換部２４は、認証の成立を条件に、ゲートウェイ３０からネットワークＮＷを介して情報を取得する。そして、書換部２４は、メモリ２５に含まれる情報を取得した更新情報によって更新する。なお、更新情報は、プログラムの一部やパラメータ（例えば判定基準等）の一部であってもよい。
【００２２】
ゲートウェイ３０には、近距離無線通信（例えば、ＮＦＣ：Ｎｅａｒ  Ｆｉｅｌｄ  Ｃｏｍｍｕｎｉｃａｔｉｏｎ）を行うことができる近距離無線通信部としてのＮＦＣ４０を備えている。ＮＦＣ４０は、近距離無線通信が可能な機器と近距離無線通信によって通信可能である。なお、近距離無線としては、通信距離が１０ｃｍ程度のＮＦＣの他、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ）、特定小電力無線、微弱無線などを用いることができる。ＮＦＣ４０は、通信対象が保持する固有の情報（ＩＤやパスワード等）に基づき、近距離無線通信を許可するか否かの認証（端末認証）を行い、端末認証が成立すると、通信対象と情報の送受信を実行する。ゲートウェイ３０は、ネットワークＮＷを介してデータベースサーバ５０とインターネット認証を行い、情報更新が可能な計測装置１０であることを確認する。そして、ゲートウェイ３０は、インターネット認証が成立すると、更新情報を通信対象に要求して、更新情報を通信対象から取得する。
【００２３】
計測システムは、近距離無線通信が可能であるとともに計測装置１０の更新情報を有する更新情報機器として携帯端末６０とメンテナンスカード７０とを備えている。携帯端末６０は、近距離無線通信機能を備えた例えばスマートフォンや、タブレット端末、携帯電話、パーソナルコンピュータ等である。メンテナンスカード７０は、近距離無線通信機能を有したカードである。
【００２４】
携帯端末６０は、ＮＦＣ４０と近距離無線通信を行い、端末認証が成立すると、ユーザが計測装置１０の情報の更新権限を有しているか確認するためにインターネット認証を行う。インターネット認証は、例えば生体認証やパスワードの入力によって行われる。そして、携帯端末６０は、インターネット認証のために入力された情報（生体情報やパスワード）を、インターネット認証入力信号として、ＮＦＣ４０を介してゲートウェイ３０に送信する。また、携帯端末６０は、ＮＦＣ４０を介してゲートウェイ３０から更新情報の要求があると、更新情報を、ＮＦＣ４０を介してゲートウェイ３０に送信する。携帯端末６０には、予め更新情報が記憶されている。
【００２５】
メンテナンスカード７０は、ＮＦＣ４０と端末認証を行い、端末認証が成立すると、カード毎に記憶された特定の処理を計測装置１０に実行させることができる。なお、更新情報機器としてメンテナンスカード７０は、更新情報を有したカードが含まれている。
【００２６】
データベースサーバ５０は、データベース５１に計測装置１０からネットワークＮＷを介して取得した計測結果を蓄積している。データベースサーバ５０は、蓄積された計測結果をユーザからの要求に応じて、ネットワークＮＷを介して提供する。また、データベースサーバ５０は、ネットワークＮＷを介してゲートウェイ３０とインターネット認証を行う。データベースサーバ５０と計測装置１０とは、例えばパスワードによって認証を行い、認証が成立することを条件に、計測結果等の情報を取得している。また、データベースサーバ５０は、ネットワークＮＷを介して携帯端末６０とも、同じ又は異なるパスワードによって認証を行い、認証が成立することを条件に、計測装置１０は更新情報を取得している。
【００２７】
図２に示すように、メンテナンスカード７０は、メンテナンスカード７０の発行元からユーザが遠方に位置していれば郵送でユーザに配布され、メンテナンスカード７０の発行元からユーザが近くに位置していればユーザに直接配布される。
【００２８】
メンテナンスカード７０は、計測装置１０に実行させる処理毎に複数存在する。例えば、計測装置１０が有する情報であるパスワード等を更新する更新処理を実行させるためのメンテナンスカード７０として、パスワード更新カード７１がある。パスワード更新カード７１がゲートウェイ３０にかざされると、計測装置１０のパスワード等を更新することができる。更にパスワードに代え、またはパスワードと共に計測結果等を暗号化して送信するように計測装置１０が構成されている場合は、暗号化のための暗号鍵を更新することもできる。
【００２９】
また、センサ１１の出力結果を校正させるためのメンテナンスカード７０として、センサキャリブレーションカード７２がある。センサキャリブレーションカード７２がゲートウェイ３０にかざされると、計測装置１０のセンサ１１から出力される出力結果を計測対象に対応するように校正することができる。すなわち、センサキャリブレーションカード７２に記憶されたキャリブレーション値によって計測装置１０を校正することができる。
【００３０】
また、計測装置１０自体が正常であるか否かを確認するための自己診断を計測装置１０に実行させるためのメンテナンスカード７０として、自己診断カード７３がある。自己診断カード７３がゲートウェイ３０にかざされると、計測装置１０に異常があるか否かを診断するための自己診断プログラムが計測装置１０で実行され、異常がある場合は、その旨が計測装置１０の表示部（図示せず）に表示されたり、データベースサーバ５０等に異常がある旨、送信されたりするように構成されている。
【００３１】
また、計測装置１０の設定を初期状態（出荷時に設定されていたプログラム若しくはパラメータの状態、又は設置時に設定されていたプログラム若しくはパラメータの状態）にするためのメンテナンスカード７０として、リセットカード７４がある。リセットカード７４がゲートウェイ３０にかざされると、計測装置１０の設定を初期状態に復元することができる。
【００３２】
図３に示すように、携帯端末６０は、表示部６１を備えている。携帯端末６０において計測装置１０のセンサ１１から出力される計測結果の色を校正する際には、表示部６１にＲＧＢのカラーマトリックスを表示して、計測対象に対応した色をユーザが選択することで、計測結果の色を校正することができる。また、予め計測対象に対応する色をカラーマトリックスに表示するので、ユーザが色を確認した上で設定することができる。
【００３３】
次に、図４及び図５を併せて参照して、上記のように構成された計測システムの動作について説明する。
まず、携帯端末６０による情報の更新について説明する。
【００３４】
図４に示すように、携帯端末６０がゲートウェイ３０に近づけられると（ステップＳ１０）、携帯端末６０とゲートウェイ３０とは、ＮＦＣ通信を行う（ステップＳ１１，Ｓ１２）。すなわち、携帯端末６０は、近距離無線通信によって端末認証を行い、ゲートウェイ３０と通信できる正規の携帯端末であるか否かを確認する。
【００３５】
そして、携帯端末６０は、端末認証が成立すると（ステップＳ１３）、インターネット認証の表示を行う（ステップＳ１４）。すなわち、携帯端末６０は、インターネット認証のためにユーザに対して認証を促す表示を表示部に表示する。例えば、携帯端末６０は、生体認証であれば携帯端末６０のカメラがユーザの手のひらや眼球を撮影できるように撮影範囲を表示したり、パスワードであればパスワードの入力画面を表示したりする。そして、携帯端末６０は、ユーザによってインターネット認証の入力があると（ステップＳ１５）、インターネット認証入力信号を近距離無線通信によってゲートウェイ３０に送信する。
【００３６】
ゲートウェイ３０は、インターネット認証入力信号を携帯端末６０から受信すると、インターネット認証を行う（ステップＳ１６）。すなわち、制御部１２の認証部２３は、ゲートウェイ３０を介してネットワークＮＷを経由してデータベースサーバ５０とインターネット認証を行う。そして、制御部１２の認証部２３は、ゲートウェイ３０を介して入力された情報が正しければ、インターネット認証が成立したと判断すると（ステップＳ１７）、更新情報（例えば、新たな判断基準やインターネット認証用の新しいパスワード等）の要求を近距離無線通信によって携帯端末６０に送信する。
【００３７】
続いて、携帯端末６０は、ゲートウェイ３０から更新情報の要求を受信すると、更新情報をゲートウェイ３０に送信する（ステップＳ１８）。すなわち、携帯端末６０は、記憶されている更新情報を読み出して、近距離無線通信によってゲートウェイ３０にこの更新情報を送信する。
【００３８】
続いて、ゲートウェイ３０は、携帯端末６０から更新情報を受信すると、この更新情報を制御部１２に送信する（ステップＳ１９）。すなわち、ゲートウェイ３０は、携帯端末６０から近距離無線通信によって提供された更新情報を制御部１２へ伝達する。
【００３９】
そして、制御部１２は、ゲートウェイ３０から更新情報を受信すると、更新情報に基づいて計測装置１０に保存されている情報を更新する（ステップＳ２０）。すなわち、制御部１２の書換部２４は、メモリ２５に記憶された情報（例えば判断基準やインターネット認証用のパスワード等）を、ゲートウェイ３０を介して携帯端末６０から取得した情報に書き換える。
【００４０】
次に、メンテナンスカード７０による情報の更新について説明する。
図５に示すように、メンテナンスカード７０がゲートウェイ３０に近づけられると（ステップＳ１０）、メンテナンスカード７０とゲートウェイ３０とは、ＮＦＣ通信を行う（ステップＳ１１，Ｓ１２）。すなわち、メンテナンスカード７０は、近距離無線通信によって認証を行い、ゲートウェイ３０と通信できる正規のカードであるか否かを確認する（端末認証）。
【００４１】
そして、メンテナンスカード７０は、端末認証が成立すると（ステップＳ１３）、カード情報をゲートウェイ３０に送信する（ステップＳ３０）。すなわち、メンテナンスカード７０に記憶されている情報であるカード情報が読み出され、このカード情報は近距離無線通信によってゲートウェイ３０に送信される。例えば、メンテナンスカード７０がパスワード更新カード７１であれば、パスワード更新カード７１からカード情報としてパスワード等の更新要求と新たなパスワード等とが近距離無線通信によってゲートウェイ３０に送信される。例えば、メンテナンスカード７０がセンサキャリブレーションカード７２であれば、センサキャリブレーションカード７２からカード情報としてセンサ１１の校正要求が近距離無線通信によってゲートウェイ３０に送信される。
【００４２】
続いて、ゲートウェイ３０は、メンテナンスカード７０からカード情報を近距離無線通信によって受信すると、カード情報に基づいた処理を制御部１２に要求する（ステップＳ３１）。すなわち、ゲートウェイ３０は、メンテナンスカード７０から取得したカード情報に含まれた処理を制御部１２に伝達する。例えば、メンテナンスカード７０がパスワード更新カード７１であれば、ゲートウェイ３０は、パスワード等の更新要求と新たなパスワード等とを制御部１２に伝達する。例えば、メンテナンスカード７０がセンサキャリブレーションカード７２であれば、ゲートウェイ３０は、センサ１１の校正要求を制御部１２に出力する。
【００４３】
続いて、制御部１２は、ゲートウェイ３０から処理要求が伝達されると、伝達された処理を実行する（ステップＳ３２）。例えば、メンテナンスカード７０がパスワード更新カード７１であれば、制御部１２の書換部２４は、パスワード等の更新要求に従い記憶されているパスワード等を新たなパスワード等に書き換える。例えば、メンテナンスカード７０がセンサキャリブレーションカード７２であれば、制御部１２の書換部２４は、センサ１１の校正要求に従い設定されているセンサ１１の計測結果の色の設定を書き換える。
【００４４】
このように、計測装置１０に備えられた近距離無線通信部であるＮＦＣ４０によって携帯端末６０やメンテナンスカード７０から情報を取得して情報を更新することができる。よって、ネットワークＮＷを介して計測装置１０の情報を更新しないため、通信が傍受されたり、通信内容が改ざんされたりすることがない。つまり高いセキュリティ性を複雑な処理をすることなく確保して、情報を更新することができる。
【００４５】
以上説明したように、本実施形態によれば、以下の効果を奏することができる。
（１）計測装置１０に近距離無線通信を行うＮＦＣ４０を備えたので、計測装置１０がＮＦＣ４０を介して計測装置１０の情報を更新することができる。よって、ネットワークＮＷを介して計測装置１０の情報を更新しなくて済むので、複雑な処理をすることなく高いセキュリティ性（通信を第三者に傍受されたり、通信内容が改ざんされたりすることが無く）を確保して、情報を更新することができる。
【００４６】
（２）計測装置１０の更新情報を有する携帯端末６０が計測装置１０と端末認証を行い、端末認証が成立したことを条件として計測装置１０の情報が更新される。このため、端末認証が成立しなければ情報に接続されないので、悪意ある接続を拒否することができる。
【００４７】
（３）計測装置１０と携帯端末６０との端末認証に加えて、計測装置１０とデータベースサーバ５０とのインターネット認証が成立すると計測装置１０の情報が更新される。このため、端末認証とインターネット認証とが成立しなければ情報に接続されないので、悪意ある接続を更に拒否することができる。
【００４８】
（４）計測装置１０にゲートウェイ３０を備えるので、計測装置１０はゲートウェイ３０を介してネットワークＮＷに接続することができるので、計測装置１０を簡易な構成とすることができる。
【００４９】
（５）携帯端末６０やメンテナンスカード７０に保存されるキャリブレーション値によって計測装置１０が校正されるので、キャリブレーション値を有した携帯端末６０又はメンテナンスカード７０を所持するユーザであればキャリブレーションを容易に行うことができる。
【００５０】
（第２の実施形態）
以下、図６及び図７を参照して、計測システムの第２の実施形態について説明する。この実施形態の計測システムは、ＮＦＣ４０が制御部１２に直接接続（制御部と一体化）されている点が上記第１の実施形態と異なっている。以下、第１の実施形態との相違点を中心に説明する。
【００５１】
図６に示すように、計測装置１０は、センサ１１と制御部１２とに加えて、ネットワークＮＷに接続する通信部１３と、近距離無線通信を行うＮＦＣ４０とを備えている。そして、通信部１３とＮＦＣ４０とは、制御部１２にそれぞれ接続されている。
【００５２】
計測装置１０は、データベースサーバ５０に接続する際には、通信部１３を経由してネットワークＮＷを介して接続する。また、計測装置１０は、メンテナンスカード７０と通信する際には、ＮＦＣ４０を介して接続する。つまり、計測装置１０の情報を更新するために制御部１２がメンテナンスカード７０や携帯端末６０に接続するルートと、制御部１２がデータベースサーバ５０に接続するルートとが別々になっている。
【００５３】
次に、メンテナンスカード７０による情報の更新について説明する。
図７に示すように、メンテナンスカード７０が計測装置１０に近づけられると（ステップＳ１０）、メンテナンスカード７０とＮＦＣ４０とは、ＮＦＣ通信を行う（ステップＳ１１，Ｓ１２）。そして、メンテナンスカード７０は、端末認証が成立すると（ステップＳ１３）、カード情報をＮＦＣ４０に送信する（ステップＳ３０）。
【００５４】
続いて、ＮＦＣ４０は、メンテナンスカード７０からカード情報を近距離無線通信によって受信すると、カード情報に基づいて処理を制御部１２に要求する（ステップＳ３１）。続いて、制御部１２は、ＮＦＣ４０から処理要求が入力されると、入力された処理を実行する（ステップＳ３２）。
【００５５】
以上説明したように、本実施形態によれば、第１の実施形態の（１）〜（３），（５）の効果に加え、以下の効果を奏することができる。
（６）ＮＦＣ４０が制御部１２に直接接続されているとともに、ネットワークＮＷに接続する通信部１３が制御部１２に別々に接続されている。このため、情報を更新するための通信と、ネットワークＮＷを介してデータベースサーバ５０に接続する通信とを同時に行うことが可能である。
【００５６】
なお、上記各実施形態は、これを適宜変更した以下の形態にて実施することもできる。
・上記各実施形態では、計測装置１０において計測した計測値の判定結果をデータベースサーバ５０に出力するようにしたが、計測値をデータベースサーバ５０に出力するようにしてもよい。
【００５７】
・上記第１の実施形態では、更新情報機器として携帯端末６０とメンテナンスカード７０との両方を計測システムが備えたが、更新情報機器として携帯端末６０とメンテナンスカード７０とのいずれか一方のみを計測システムが備えてもよい。
【００５８】
・上記第１の実施形態では、更新情報機器である携帯端末６０やメンテナンスカード７０に保存されるキャリブレーション値によって計測装置１０の計測結果の色を校正した。しかしながら、更新情報機器である携帯端末６０やメンテナンスカード７０にキャリブレーション値を保存せず、計測装置１０に対してキャリブレーションを直接行ってもよい。
【００５９】
・上記第１の実施形態では、計測装置１０と携帯端末６０との端末認証に加えて、計測装置１０とデータベースサーバ５０とのインターネット認証が成立すると計測装置１０の情報を更新した。しかしながら、端末認証のみでセキュリティが確保できれば、インターネット認証を省略してもよい。また、インターネット認証のみでセキュリティが確保できれば、端末認証を省略してもよい。
【００６０】
・上記各実施形態では、計測装置１０の更新情報を有する携帯端末６０又はメンテナンスカード７０が計測装置１０と端末認証を行い、端末認証が成立したことを条件として計測装置１０の情報を更新した。しかしながら、携帯端末６０又はメンテナンスカード７０を使用することで、セキュリティが確保できるならば、端末認証を省略してもよい。
【００６１】
・上記各実施形態では、計測装置１０の計測結果をデータベースサーバ５０に蓄積したが、データベースサーバ５０を省略して、計測装置１０から計測結果を直接取得するようにしてもよい。
【００６２】
更新情報機器（６０、７０〜７４）はいずれも読み出し可能情報を記憶または保持する物理的実体である。携帯端末６０は、バッテリ等の電源を備える電動式(electric-powered)の携帯可能更新情報機器の一例である。カード７０〜７４は、バッテリ等の電源を備えない非電動式(nonelectric powered)の携帯可能更新情報機器の一例である。
【００６３】
計測装置１０は、計測部２１、判定部２２、認証部２３、及び書換部２４として機能する一つまたは複数のプロセッサを備えることができる。例えば、計測部２１、判定部２２、認証部２３、及び書換部２４はそれぞれ計測プロセッサ、判定プロセッサ、認証プロセッサ、及び書換プロセッサであってよい。計測装置１０は、メモリ２５に代えてまたはメモリ２５に加えて、当該一つまたは複数のプロセッサによって実行される命令またはコンピュータプログラムを格納した非一時的なコンピュータ可読記憶媒体を備えることができる。当該記憶媒体は、限定ではないが、不揮発性メモリ、磁気ディスクを含む磁気ディスク装置、光学ディスクを含む光学ディスク装置等であってよい。
【００６４】
近距離無線通信部としてのＮＦＣ４０は、近距離無線受信アンテナであってよい。
本開示は以下の実装例を包含する。限定ではなく理解の補助のために、図示した実施形態の参照符号を付した。
【００６５】
本発明の一以上の実装例は、計測対象の状態を計測するための計測装置（１０）を提供する。この計測装置（１０）は、計測対象の状態を計測するように構成されたセンサ（１１）と、ネットワーク（ＮＷ）を介してデータベースサーバ（５０）に接続される通信回路（３０、１３）と、近距離無線受信アンテナ（４０）と、前記センサ（１１）、前記通信回路（３０、１３）、及び、前記近距離無線受信アンテナ（４０）に直接にまたは間接的に接続された制御部（１２）とを備える。前記制御部（１２）は、少なくとも、前記計測装置（１０）の外部から前記計測装置（１０）へのアクセスの制限と前記センサ（１１）のセンサ信号に対する信号処理とを実行するための一または複数のコンピュータプログラムを含む複数のデータセットを格納するメモリ（２５）を含み、前記制御部（１２）は、前記メモリ（２５）内の前記複数のデータセットのうちの少なくとも１つを、前記計測装置（１０）の外部から前記近距離無線受信アンテナ（４０）を介して受信した情報で書き換えるように構成されている。
【００６６】
本発明がその技術的思想から逸脱しない範囲で他の特有の形態で具体化されてもよいということは当業者にとって明らかであろう。例えば、実施形態（あるいはその１つ又は複数の態様）において説明した部品のうちの一部を省略したり、いくつかの部品を組合せてもよい。本発明の範囲は、添付の請求の範囲を参照して、請求の範囲が権利を与えられる均等物の全範囲と共に確定されるべきである。
【符号の説明】
【００６７】
１０…計測装置、１１…センサ、１２…制御部、１３…通信部、２１…計測部、２２…判定部、２３…認証部、２４…書換部、２５…メモリ、３０…ゲートウェイ、４０…ＮＦＣ、５０…データベースサーバ、５１…データベース、６０…携帯端末、６１…表示部、７０…メンテナンスカード、７１…暗号鍵更新カード、７２…センサキャリブレーションカード、７３…自己診断カード、７４…リセットカード、ＮＷ…ネットワーク。
【図１】
2017135210.tif 000003
【図２】
2017135210.tif 000004
【図３】
2017135210.tif 000005
【図４】
2017135210.tif 000006
【図５】
2017135210.tif 000007
【図６】
2017135210.tif 000008
【図７】
2017135210.tif 000009
【国際調査報告】
2017135210.tif 000010
2017135210.tif 000011
2017135210.tif 000012
2017135210.tif 000013